(57)【要約】      （修正有）【課題】微弱電流等による物理的な方法以外にやわらかな光色の変化や音により被施術者の視覚や聴覚にいやしの状態を与えることにより精神的な安定を助け、さらに美容効果を高めることにある。【解決手段】発光手段である赤色と青色と緑色の発光素子に流す電流をそれぞれ個別に、もしくは同時に１秒以上のいずれか固定、または変化する周期で緩やかに可変させることにより、発光色と発光光度を自由に変化させながら繰り返し表示することを特徴とするいやし機能を有する美容器。【選択図】図１
2004237042.tif 000002
【特許請求の範囲】
【請求項１】
皮膚に電流を流す出力手段と前記出力手段をオン、オフする開閉手段と前記電流を検出する検出手段と赤色と青色と緑色の３つの発光素子が一体となった発光手段を具備し、前記開閉手段がオンにより出力手段が動作、もしくは前記電流の検出手段により電流が流れていることを検出したときにおいて、前記発光手段である赤色と青色と緑色の発光素子に流す電流をそれぞれ個別に、もしくは同時に１秒以上のいずれか固定、または変化する周期で緩やかに可変させることにより、発光色と発光光度を自由に変化させながら繰り返し表示することを特徴とするいやし機能を有する美容器。
【請求項２】
皮膚に電流を流す出力手段と前記出力手段をオン、オフする開閉手段と前記電流を検出する検出手段と赤色と青色と緑色の３つの発光素子が一体となった発光手段を具備し、前記開閉手段がオンにより出力手段が動作、もしくは前記電流の検出手段により電流が流れていることを検出したときにおいて、前記発光手段である赤色と青色と緑色の発光素子に流す電流をそれぞれ個別に、もしくは同時に１秒以上のいずれか固定、または変化する周期で緩やかに可変させることにより、発光色と発光光度を自由に変化させながら、さらに前記１秒以上の周期に加え、前記電流の検出手段により検出された電流の値に応じて前記発光手段に流す電流を０．３秒以上のいずれか固定または変化する周期で、発光色と発光光度を緩やかに可変させ表示することを特徴とするいやし機能を有する美容器。
【請求項３】
皮膚に電流を流す出力手段と前記出力手段をオン、オフする開閉手段と前記電流を検出する検出手段とメロディー音を出力する音声出力手段を具備し、前記電流の検出手段により皮膚に電流が流れていることを検出したときにおいて、前記音声出力手段を動作させメロディー音を出力することを特徴とするいやし機能付美容器。
【請求項４】
皮膚に電流を流す出力手段と前記出力手段をオン、オフする開閉手段と前記電流を検出する検出手段とメロディー音を出力する音声出力手段を具備し、前記電流の検出手段により皮膚に電流が流れていることを検出したときにおいて、前記音声出力手段を動作させメロディー音を出力、さらに前記メロディー音出力に加え、前記電流の検出手段により検出された電流の値に応じて前記メロディー音のテンポとリズムを０．３秒以上のいずれか固定、または変化する周期で、緩やかに可変させることを特徴とするいやし機能を有する美容器。
【発明の詳細な説明】
【０００１】
【発明の属する技術分野】本発明は生体の皮膚に微弱電流を流すとともに光と色の変化とメロディーにより精神的な安定を図る美顔、美肌、および治療を行う美容器に関する。
【０００２】
【従来の技術】従来から直流や矩形波あるいはパルス状の微弱電流を皮膚、特に顔に流し電気的刺激を与えることにより皮膚の保守、改善を行う方法がとられている。ほかに美容液などを微弱電流によりイオン化し皮膚内部に浸透させるイオントフォレーシスが行われている。しかし皮膚、特に顔の皮膚や頭皮などはストレスなど精神的な要因に影響されることが多く、皮膚の健康な状態を保つに上述のような物理的方法に加え、ストレスを受けないような配慮も必要であるが、従来美容器に上述のような精神的な配慮に対する処置はされていなかった。
【０００３】微弱電流は肌で感じることが少ないため、専門の施術者が行う場合は問題ないが、家庭などで使用者自身が操作するとき、微弱電流が流れているか不安になることがある。この対策として微弱電流出力回路と皮膚の間に電流計を挿入するか、または電流検出回路を設け、発光ダイオード等により電流が流れている状態を表示する方法がとられてきた。たとえば（特公平６−５７２５９）など。微弱電流を皮膚に供給する施術時間は通常数分から数十分であるが、上述のように微弱電流は皮膚での感触や変化が感じにくいため単調な施術となり、飽きやすく、繰返し使用していると我慢しながら処置するようになっていた。
【０００４】
【発明が解決しようとする課題】
やわらかな光の変化や心地よい音楽のある環境は、自律神経の安定などにつながり皮膚内部の血行を良くすることが知られている。そこで、本発明の課題は上述のような微弱電流等による物理的な方法以外にやわらかな光色の変化や音を用い被施術者の視覚や聴覚に、いやしの状態を与えることにより精神的な安定を助け、さらに美容効果を高めることにある。
【０００５】皮膚内部に存在する等価インピーダンスは人体の各部位や体調、気温等ににより異なる。たとえば二つの電極間に電圧を印加しそのうち一つの電極を顔の鼻や頬、額の順に移動すると等価インピーダンスが異なるため微弱電流値が変化する。この電流の変化を利用し、上述の穏やかな光色とメロディー音に変化を加え、各部位に流れる電流の状態を表現すれば、楽しみながら施術ができ、美容効果を高めることができる。本発明の他の課題として皮膚に流れる電流を検出し施術の状態を解りやすく表現する飽きのこない変化のある表示を行うことにある。
【０００６】
【課題を解決するための手段】上記課題を解決するための手段として、請求１の発明は皮膚に電流を流す出力手段と前記出力手段をオン、オフする開閉手段と前記電流を検出する検出手段と赤色と青色と緑色の３つの発光素子が一体となった発光手段を具備し、前記開閉手段がオンにより出力手段が動作、もしくは前記電流の検出手段により電流が流れていることを検出したときにおいて、前記発光手段である赤色と青色と緑色の発光素子に流す電流をそれぞれ個別に、もしくは同時に１秒以上のいずれか固定、または変化する周期で緩やかに可変させることにより、発光色と発光光度を自由に変化させながら繰り返し表示することを特徴とするいやし機能を有する美容器。
【０００７】又、第二に、皮膚に電流を流す出力手段と前記出力手段をオン、オフする開閉手段と前記電流を検出する検出手段と赤色と青色と緑色の３つの発光素子が一体となった発光手段を具備し、前記開閉手段がオンにより出力手段が動作、もしくは前記電流の検出手段により電流が流れていることを検出したときにおいて、前記発光手段である赤色と青色と緑色の発光素子に流す電流をそれぞれ個別に、もしくは同時に１秒以上のいずれか固定、または変化する周期で緩やかに可変させることにより、発光色と発光光度を自由に変化させながら、さらに前記１秒以上の周期に加え、前記電流の検出手段により検出された電流の値に応じて前記発光手段に流す電流を０．３秒以上のいずれか固定または変化する周期で、発光色と発光光度を緩やかに可変させ表示することを特徴とするいやし機能を有する美容器。
【０００８】又、第三に、皮膚に電流を流す出力手段と前記出力手段をオン、オフする開閉手段と前記電流を検出する検出手段とメロディー音を出力する音声出力手段を具備し、前記電流の検出手段により皮膚に電流が流れていることを検出したときにおいて、前記音声出力手段を動作させメロディー音を出力することを特徴とするいやし機能付美容器。
【０００９】又、第四に、皮膚に電流を流す出力手段と前記出力手段をオン、オフする開閉手段と前記電流を検出する検出手段とメロディー音を出力する音声出力手段を具備し、前記電流の検出手段により皮膚に電流が流れていることを検出したときにおいて、前記音声出力手段を動作させメロディー音を出力、さらに前記メロディー音出力に加え、前記電流の検出手段により検出された電流の値に応じて前記メロディー音のテンポとリズムを０．３秒以上のいずれか固定、または変化する周期で、緩やかに可変させることを特徴とするいやし機能を有する美容器。
【００１０】
【発明の実施形態】図１は本発明の一実施例に係るいやし機能を有する美容器のブロック図。図２はこの美容器の各部動作波形で横軸を経過時間として表したものである。図３は微弱電流出力回路が定電流回路方式での接続を示した図である。美容器本体１には人体Ａに電流を流すための微弱電流出力回路２（出力手段）とこれをオン、オフするスイッチ３（開閉手段）と電流を検出する抵抗器７（検出手段）と赤色と青色と緑色の３つの発光素子が一体となった３色ＬＥＤ４（発光手段）及びメロディーＩＣ５とスピーカ６（音声出力手段）などが備えられている。微弱電流出力回路２は電極１７ａおよび１７ｂを介して人体Ａに接続される。
【００１１】各部について図１を参照し説明する。スイッチ３は微弱電流出力をオン／オフするスイッチでオンにすると微弱電流出力回路より電圧が出力される。このスイッチは美容器全体の電源スイッチを兼ねても良い。もしくはマイクロコンピュータによる制御回路８からの信号によりオン／オフさせても良い。微弱電流出力回路はマイクロコンピュータによる制御回路８からの波形信号を受け、直流もしくは矩形波やサイン波のほかにパルス波など任意な電圧波形を出力することができる。制御回路はマイクロコンピュータを使用せずタイマーＩＣやロジックＩＣの組み合わせで構成しても良い。
【００１２】発光素子はあざやかな発色が必要なため高輝度タイプの３色ＬＥＤを使用し、電流制限抵抗器１３ａ〜１３ｅを介してＯＰアンプの出力である１２ａから１２ｄに接続される。１４ａ〜１４ｄおよび１５ａから１５ｄはコンデンサと抵抗によるＣＲ遅延回路である。１１は電流の変化を緩やかな電圧変化にするための遅延用コンデンサである。Ｄ／Ａコンバーターを内蔵したマイクロコンピュータを使用すれば上述の遅延回路をソフトウエアプログラムで構成しても良い。
【００１３】電流を検出する抵抗器７は微弱電流出力回路２がオンし人体の皮膚を介して電流が流れ始めると、該抵抗器に電圧が発生しコンパレータ９の出力側をハイレベルにする。同時にＯＰアンプ１０は抵抗器７に発生した微小な電圧を増幅し電流値を電圧値に変換して出力する。
【００１４】メロディーＩＣ５はスピーカまたは圧電サウンダ６等により音として出力される。該スピーカーの変わりにヘッドホーンなどを用いても良い。メロディーＩＣ５は内部にオルゴール用として使用されるような楽曲、例えばエリーゼのために等のメロディー情報を不揮発メモリーとして内蔵しデジタル信号として出力するもので、電源電圧の値に応じてテンポが変化する。図１の例ではメロディーＩＣを使用しているが当然マイクロコンピューター内のソフトウェアプログラムによりメロディーを構成しリズムやテンポを変化させて出力しても良い。
【００１５】１７ａ〜１７ｃは皮膚に微弱電流を流すため一対の電極で構成される。美顔処理をするときは１７ａと１７ｂのように顔の両側にそれぞれ電極を接触させ人体に微弱電流を流す。ほかに皮膚内部に化粧液や薬物を浸透させるイオントフォレーシスを行う場合は１７ｂを外し点線で示した１７ｃのように片方の電極を顔以外の部位に当てるようする。頭皮にイオントフォレーシスを行う場合は電極１７ａの形状を櫛形のものに変更し、該電極を毛髪や頭皮に接触させる。１８ａと１８ｂはＯＰアンプ１２ｄから電流が逆流しないようにするダイオードである。
【００１６】各部の詳細な動作を図２により説明する。ＶＳはスイッチ３の出力電圧でオンのときハイレベルとなる。ハイレベル、ローレベルはデジタル信号の電圧レベルを示す。ＶＯＵＴは微弱電流出力回路の出力電圧を示す。１０ＵＴは微弱電流出力回路より皮膚を介して流れる電流値を示す。
【００１７】ＶＰ１とＶＰ２はマイクロコンピュータによる制御回路から出力されるデジタル信号である。Ｐｔ１はＶＰ１の周期を表し１秒以上の範囲で固定または可変されるものである。図２では固定された周期として説明する。ＣＲｔ１はＶＰ１のデジタル信号をアナログに変換したときの遅延時間をあらわす。Ｐｔ２はＶＰ２の周期を表し０．３秒以上のいずれか固定または可変するものである。図２では可変する周期として説明する。ＣＲｔ２はＶＰ２のデジタル信号をアナログに変換したときの遅延時間をあらわす。
【００１８】ＶＲ、ＶＧ、ＶＢは３色ＬＥＤの各素子をドライブするＯＰアンプ１２ａ〜１２ｃの出力電圧を示す。ＶＣは３色ＬＥＤの各素子のうち２素子をドライブするＯＰアンプ１２ｄの出力電圧を示す。いずれもローレベルでＬＥＤが発光する。ＶＭはメロディーＩＣ５の電源電圧を示す。
【００１９】
【実施例】図２の横軸である時間軸を基準に動作を説明する。まずｔ１でスイッチ３をオンにすると微弱電流出力回路２が動作し出力電圧ＶＯＵＴが出力される。このとき電流はまだ流れていないが、例えば電極１７ａ，１７ｂを手で軽く触るとわずかな電流ＩＯＵＴが流れ始め、このタイミングをｔ２とする。これによりコンパレータ９の出力がハイレベルとなり、その信号を受けてマイクロコンピュターによる制御回路８はＬＥＤドライブ用ＯＰアンプ１２ａから１２ｃに信号を出力し、ＬＥＤ４が緩やかに発光を始める。合わせてメロディＩＣ５にも抵抗器１６ａを介してレベルの低い電源電圧を供給しテンポの遅い状態でメロディー音が出力される。このように微弱電流がながれると自動的にメロディーを出力することができる。
【００２０】マイクロコンピュータによる制御回路８から出力される周期ｐｔ１のデジタル信号ＶＰ１は、１４ａ〜１４ｃ及び１５ａ〜１５ｃの遅延回路による時定数ＣＲｔ１で緩やかなアナログ信号に変換され、ＯＰアンプ１２ａ〜１２ｃに入力される。したがってＬＥＤ４の赤色、緑色、青色の各素子はゆっくりと点灯と消灯を繰返すように動作する。図２では説明のため各ＶＲ，ＶＧ，ＶＢ間の位相や周期は固定しているが、マイクロコンピューターのソフトウェアにより自由に設定変更が可能である。別の動作モードとして、スイッチ３をオンしたときにコンパレータ９の出力をすぐにハイレベルにするように変更し、微弱電流出力回路が動作したタイミングで上述の動作を開始するようにしても良い。
【００２１】ここでＬＥＤ４の発光状態を見ると、ｔ３のタイミングではＯＰアンプ１２ａの出力電圧ＶＲがＬになっており抵抗器１３ａを介して電流が流れ、ＬＥＤ４は赤色に発光している。ＬＥＤの発光光度はＬＥＤに流れる電流に比例するため電圧ＶＲが緩やかに変化するとそれにともない明るさが変化する。次にｔ４のタイミングではＶＲとＶＧの２つの電圧レベルが下がっているので赤と緑の混合色である黄色が表示される。ＶＲとＶＧは電圧変化に対する位相がずれているため、色の混合比が徐々に変化しながら赤色から例えば黄色に変わって行く。ｔ５では緑と青の混合色である水色が表示される。この様に時間の経過とともに緩やかに発光色と発光光度を変えながら繰返し表示することができる。
【００２２】ｔ６のタイミングは、例えば電極１７ａ、１７ｂを顔の頬に当てたときの状態で微弱電流ＩＯＵＴが増えることにより電流検出抵抗７の電圧が増え、ＯＰアンプ１０の出力も上昇する。その信号を受けてマイクロコンピュータによる制御回路８では電流値に応じた周期Ｐｔ２を有したデジタル信号ＶＰ２を１４ｄと１５ｄによる時定数ＣＲｔ２の遅延回路を介してアナログ信号に変換しＯＰアンプ１２ｄに出力する。したがってＯＰアンプ１２ｄの出力電圧ＶＣは緩やかに電圧の上下を繰返す。ここで１４ｄと１５ｄによる遅延回路の時定数ＣＲｔ２は１４ａ〜１４ｃと１５ａ〜１５ｃによる遅延回路の時定数ＣＲｔ１より短いものとする。
【００２３】ｔ７のタイミングではＯＰアンプ１２ａの出力電圧ＶＲが低い状態になっており赤色の素子が発光している。そこに周期Ｐｔ２の信号を受けたＯＰアンプ１２ｄの出力ＶＣがローレベルになるため、赤色に対してさらに赤色と青色が混合された色として紫色が点滅表示されことになる。したがって出力電流ＩＯＵＴが変化したことをＬＥＤの表示色と明るさの変化として表現することができる。
【００２４】ｔ７のタイミングではメロディーＩＣの電源電圧ＶＭもＯＰアンプ１０の出力電圧の上昇に伴い高くなり、メロディーのテンポが速くなる。
したがって電流の変化をメロディーのテンポの変化として表現することができる。
【００２５】ｔ８からｔ９では電極の接触部位を例えば頬から額に移動し、皮膚のインピーダンスが増えた状態を表す。出力電流ＩＯＵＴが減少、ＯＰアンプ１２ｄによりドライブされる赤色と青色の素子による点滅の周期が遅くなる。合わせてメロディＩＣのテンポも遅くなる。
【００２６】図１におけるＬＥＤ４は説明の為に１ケとしているが複数個並べ各素子の接続先を自由に変えることにより、さらに発色に変化を持たせることが可能である。ＬＥＤの変わりにカラーのＬＣＤディスプレイやＥＬパネル等の表示手段も可能である。構成を簡単にするには２色発光ダイオードや単色発光ダイオードを組み合わせても良い。
【００２７】上述における微弱電流出力回路２は定電圧出制御方式として説明した。定電圧制御方式は出力電圧がつねに設定された電圧値になるよう動作する。したがって電極１７ａ、１７ｂの当てる部位により被施術者の皮膚のインピーダンスが異なると電流の変化として表われる。
【００２８】図３は微弱電流出力回路を定電流出力方式としたときの検出回路を示したもので、定電流制御方式は出力電流がつねに設定された電流値になるよう電圧が変化して動作する。したがって電極１７ａ、１７ｂの当てる部位により被施術者の皮膚のインピーダンスが異なると電圧の変化として表れる。そのためコンパレータ９とＯＰアンプ１０は微弱電流出力回路の両端子間に接続し電圧値を検出するように変更する。
【００２９】上述ではＯＰアンプとコンデンサ、抵抗による遅延回路によりアナログ電圧に変換し穏やかにＬＥＤ４を点灯させた。遅延回路を使用せず直接デジタル信号で制御しても良い。図４はマイクロコンピュータによる制御回路８からのデジタル信号で直接ＬＥＤを穏やかに変化しながら点灯させる方式を示している。これは、デジタル信号のハイレベルとローレベルの比をデュティー比として変化させるパルス幅変調方式を用いたもので、ＬＥＤに流す電流のオンとオフの比で明るさが変化することを利用している。図４にＬＥＤのドライブ電圧ＶＲに対応したデジタル信号波形としてＶＰ１を表している。
【００３０】美容器内部には微弱電流出力回路に限らず、超音波を用いた美顔装置や遠赤外線発光装置や、体脂肪測定器、香りを発生する装置などを組み込み使用しても良い。
【００３１】
【発明の効果】以上述べたように、請求項１の発明によれば、皮膚に微弱電流を流しながら、ゆっくりとしたそしてあざやかな光と色の変化による、いやし効果で心地よく施術することが可能となった。
【００３２】請求項２の発明によれば皮膚に微弱電流を流しながら、ゆっくりとしたそしてあざやかな光と色の変化による、いやし効果に加え皮膚に流れる電流の状態を光と色の変化で確かめながら心地よく施術することが可能となった。
【００３３】請求項３の発明によれば皮膚に電流が流れると動作するメロディー音の、いやし効果で心地よく施術することが可能となった。
【００３４】請求項４の発明によれば皮膚に電流が流れると動作するメロディー音による、いやし効果に加え電流の変化をメロディー音のテンポ、リズムの変化で確かめながら心地よく施術することが可能となった。
【図面の簡単な説明】
【図１】本発明の実施例の概要を示す。
【図２】各部の動作を時間経過を横軸にして示した図である。
【図３】定電流回路方式での接続を示した図である。
【図４】パルス幅変調方式を示した図である。
【符号の説明】
１…本発明の一実施形態であるいやし機能を有する美容器
２…微弱電流出力回路（出力手段）
３…オン、オフスイッチ（開閉手段）
４…高輝度タイプ３色ＬＥＤ（発光手段）
５…メロディーＩＣ（音声出力手段）
６…スピーカー（音声出力手段）
７…電流検出抵抗器（検出手段）
８…マイクロコンピューターによる制御回路
１７ａ〜１７ｃ…通電用電極
【図１】
2004237042.tif 000003
【図２】
2004237042.tif 000004
【図３】
2004237042.tif 000005
【図４】
2004237042.tif 000006